(57)【要約】      （修正有）【課題】寝たきり状態となっている各被介護者の血行を促進させて筋肉のコリをとると共に床ずれを防止し得る床ずれ防止用ベッドを提供する。【解決手段】ベッド幅方向に相互に平行に配置される複数本の膨縮自在なエアー袋体１と、エアー袋体１へ所定時間毎に圧縮エアーを供給排気させてエアー袋体１を膨張・収縮させるエアー供給排気手段２と、エアー供給排気手段２の制御を行う制御手段３と、を備える。また、エアー袋体１は、膨張状態が円柱形となるように形成されると共に、被介護者Ａの床ずれ発生予想部位を所定時間ｔ毎に上昇・下降させるように構成されている。また、エアー袋体１には、被介護者Ａの血行を促進させる材料を用いて形成された血行促進部４が、設けられている。【選択図】図２
2008036021.tif 000002
【特許請求の範囲】
【請求項１】
ベッド幅方向に相互に平行に配置される複数本の膨縮自在なエアー袋体（１）と、該エアー袋体（１）へ所定時間（ｔ）毎に圧縮エアーを供給排気させて該エアー袋体（１）を膨張・収縮させるエアー供給排気手段（２）と、該エアー供給排気手段（２）の制御を行う制御手段（３）と、を備え、
上記エアー袋体（１）は、膨張状態が円柱形となるように形成されると共に、被介護者（Ａ）の床ずれ発生予想部位を上記所定時間（ｔ）毎に上昇・下降させるように構成され、
さらに、上記エアー袋体（１）には、上記被介護者（Ａ）の血行を促進させる材料を用いて形成された血行促進部（４）が、設けられていることを特徴とする床ずれ防止用ベッド。
【請求項２】
上記血行促進部（４）は、磁石，トルマリン，ゲルマニウム，トゴールウォータータイト，石英閃緑玲石，花崗斑岩，ホルンフレンドカミングトン，中国珪石，シリコン化合物，含鉛重晶石，備長炭のいずれかの粉末を、合成樹脂若しくはゴムと混合成型することにより、形成されている請求項１記載の床ずれ防止用ベッド。
【請求項３】
上記エアー袋体（１）は、膨張状態が円柱形となる袋本体（10）と、該袋本体（10）の上部に付設されると共に可撓性を有するシート状の上記血行促進部（４）と、により形成されている請求項１又は２記載の床ずれ防止用ベッド。
【請求項４】
上記エアー袋体（１）の配置部位が、上記被介護者（Ａ）の仰臥状態での脹脛部（ａ），大腿部（ｂ），腰部（ｃ），背中部（ｄ），後頭下部（ｅ）から成る請求項１，２又は３記載の床ずれ防止用ベッド。
【発明の詳細な説明】
【技術分野】
【０００１】
本発明は、床ずれ防止用ベッドに係り、より詳しくは、病気で寝たきり状態となった人や寝たきり老人等の被介護者のための床ずれ防止用ベッドに関する。
【背景技術】
【０００２】
一般に、健康な人は、睡眠中に数多くの体位の変換を行っている。例えば、８時間の睡眠時間が普通とすると、その間に、健康な人々は約60回体位の変換を行っている。この体位の変換は、生理的なものであって体動と呼ばれている。そして、「同じ姿勢でいるのは１５分程度が限度」というのが、動物である人間の体動の原理である。
重い怪我、病気で寝たきり状態となった人や寝たきり老人等の被介護者は、この体動ができず、同じ姿勢をとりつづけることになる。こうして、被介護者の肩や腰に過剰な負担がかかると、その部分の筋肉内の血管が圧迫を受けて狭くなり、血行が悪くなる。そして、筋肉内には酸素や栄養素が十分行き渡らなくなる。その結果、筋肉で使われた老廃物は筋肉内に滞って、被介護者がコリを感じることとなる。
また、寝たきり状態の被介護者を同じ姿勢で長らく放置していると、局所の循環不全、つまり床ずれが生じ、この床ずれから感染症を招来することになる。特に、高齢の失禁被介護者では、命が短くなる虞れがある。
【０００３】
ところが、現在の日本では、介護保険の適用者だけでも 400万人を越えて世界一の超高齢化大国になっているにもかかわらず、各種老人施設等の現場では 400万人の被介護者に対し、医師、看護婦（士）、またよく訓練された介護者の絶対数も不足しているのである。
【０００４】
また、行政側の思惑と悲惨な現場との認識と常識のずれにより、適切な看護介護制度が実施されず、この分野の医療教育も進んでいないという実態がある。
具体的に説明すると、行政側は、「病気をすれば寝ているべき、手術後は安静にしているべき」というような18世紀医学を未だに念頭において介護制度を設けているからである。このように行政側の思惑と現場との乖離により、要求されているものとは大幅にずれた介護制度が実施され、実効を得られないまま結局は破綻している。
【０００５】
上記のように、各種老人施設では、介護者の質と数の不足が深刻となっている。そこで従来、介護者の労働をなるべく軽減することが可能な、寝たきり状態の被介護者用のベッドが種々提案されている（例えば、特許文献１参照）。
特許文献１では、「ベッド本体が、背もたれ部と座部と脚受け部と足載せ部に分割されると共にこれら各部を互いに回転自在に枢着したマット部材を備え、腰掛け状とベッド状とに変形する介護用のベッドに於いて、ベッド本体をマット部材と共に昇降させる昇降装置を設けたもの」が開示されている。特許文献１では、昇降装置にてベッド状から腰掛け状に変形させ、介護者が被介護者を搬送ベッドや車椅子へ移動させる際の労働を軽減するようにしている。
【特許文献１】特開２００４−１６３７０号公報
【発明の開示】
【発明が解決しようとする課題】
【０００６】
しかしながら、上記特許文献１に開示されたような従来の介護用のベッドでは、腰掛け状とベッド状との２つの状態に変形できても、被介護者の筋肉のコリをとる機能，床ずれ防止機能は備わっていなかった。
また、この従来の介護用のベッドでは、昇降装置は、モータと、リンク機構と、を用いて構成されており、ベッドの昇降装置の構造が複雑であった。
そこで、本発明は、人手不足で放置されて寝たきり状態となっている被介護者の血行を促進させて筋肉のコリをとると共に床ずれを防止でき、オムツの交換も容易なベッドを提供することを目的とする。
【課題を解決するための手段】
【０００７】
上記目的を達成するために、本発明に係る床ずれ防止用ベッドは、ベッド幅方向に相互に平行に配置される複数本の膨縮自在なエアー袋体と、該エアー袋体へ所定時間毎に圧縮エアーを供給排気させて該エアー袋体を膨張・収縮させるエアー供給排気手段と、該エアー供給排気手段の制御を行う制御手段と、を備え、上記エアー袋体は、膨張状態が円柱形となるように形成されると共に、被介護者の床ずれ発生予想部位を上記所定時間毎に上昇・下降させるように構成され、さらに、上記エアー袋体には、上記被介護者の血行を促進させる材料を用いて形成された血行促進部が、設けられている。また、上記血行促進部は、磁石，トルマリン，ゲルマニウム，トゴールウォータータイト，石英閃緑玲石，花崗斑岩，ホルンフレンドカミングトン，中国珪石，シリコン化合物，含鉛重晶石，備長炭のいずれかの粉末を、合成樹脂若しくはゴムと混合成型することにより、形成されている。
また、上記エアー袋体は、膨張状態が円柱形となる袋本体と、該袋本体の上部に付設されると共に可撓性を有するシート状の上記血行促進部と、により形成されている。
また、上記エアー袋体の配置部位が、上記被介護者の仰臥状態での脹脛部，大腿部，腰部，背中部，後頭下部から成る。
【発明の効果】
【０００８】
本発明は、次のような著大な効果を奏する。
本発明に係る床ずれ防止用ベッドは、健康な人の体動をまねて所定時間毎に寝たきり状態の被介護者の体位の変換を行うことができ、筋肉のコリをとると共に床ずれの発生を防止することができる。また、床ずれ発生予想部位に血行促進部を位置させて、その部位における被介護者の筋肉のコリを効果的にとることができる。
【発明を実施するための最良の形態】
【０００９】
以下、実施の形態を示す図面に基づき本発明を詳説する。
図１〜図４に於て、本発明の実施の一形態に係る床ずれ防止用ベッドを示す。本発明に係るベッドは、例えば総合病院や老人ホーム等に設置され、重病人や老人等の身体不自由で寝たきり状態となっている被介護者Ａの床ずれ防止のために、主として使用される。
このベッドは、マット部21とフレーム部22とを有するベッド本体20のベッド幅方向に相互に平行に配置される複数本の膨縮自在なエアー袋体１…と、エアー袋体１…へ所定時間ｔ毎に圧縮エアーを供給排気させてエアー袋体１を膨張・収縮させるエアー供給排気手段２と、エアー供給排気手段２の制御を行う制御手段３と、を備えている。
【００１０】
エアー袋体１…は、膨張状態が円柱形となるように形成され、主として、被介護者Ａの床ずれ発生予想部位を所定時間ｔ毎に上昇・下降させて床ずれを防止するために使用するものである。
各エアー袋体１には、被介護者Ａの血行を促進させる材料を用いて形成された血行促進部４が、設けられている。具体的には、エアー袋体１は、膨張状態が円柱形となる袋本体10と、袋本体10の上部に付設されると共に可撓性を有するシート状の血行促進部４と、により形成されている。
袋本体10は、ゴム等の変形容易な材質にて形成されており、筒部８と、筒部８の左右の開口端を塞ぐ端壁部９，９と、を有している。袋本体10の一方側の端壁部９には、エアー供給排気手段２につながる空圧ライン39の端部が接続されている。
【００１１】
血行促進部４は、磁石，トルマリン，ゲルマニウム，トゴールウォータータイト，石英閃緑玲石，花崗斑岩，ホルンフレンドカミングトン，中国珪石，シリコン化合物，含鉛重晶石，備長炭のいずれかの粉末を、合成樹脂若しくはゴムと混合成型することにより、形成されている。
合成樹脂は、例えばナイロン樹脂である。
トゴールウォータータイトとは、通称トゴール鉱石と呼ばれている溶解性風化鉱石のことを示す。また、石英閃緑玲石とは、通称医王石と呼ばれている海底体積鉱石のことを示す。また、花崗斑岩とは、通称麦飯石と呼ばれ、石英と長石の混合石である。また、ホルンフレンドカミングトンは、オーラ石と呼ばれる石である。また、中国珪石は、ブラックシリカ，ホワイトシリカのように呼ばれることもある石である。また、含鉛重晶石とは、北投石と呼ばれる石である。
トゴールウォータータイト，石英閃緑玲石，花崗斑岩，ホルンフレンドカミングトン，中国珪石，シリコン化合物，含鉛重晶石は、人体によい影響を与える良質のミネラルを含んでいる。そして、これら及び備長炭には、遠赤外線の放出やイオンの放出等による、血行促進作用がある。
【００１２】
ここで、磁石による磁気が筋肉のコリに効くメカニズムを説明しておく。
コリの大半は、血管が圧迫を受けて狭くなって血行が悪化することによる、虚血性筋肉痛である。
血管自体は常に収縮しようとする性質を持つが、神経の末端からアセチルコリンという血管を拡張する物質を定期に放出することで、血管は一定のリズムを刻んで拡張と収縮を繰り返している。コリを感じる部分に磁気を当てると、このアセチルコリンの分解を遅らせる作用をもたらす。血管拡張物質であるアセチルコリンが血管内に一時的に増えれば、血管は大きく拡張する。これにより、血液循環がスムーズになり、溜まっていた乳酸等の老廃物がきれいに流される。磁気が筋肉のコリに効果的なのは、このような血行の改善作用によるものである。
【００１３】
また、トルマリンは、外圧によって、マイナスイオンを発生する。このマイナスイオンの働きによって、被介護者Ａを精神的，肉体的にリラックスさせると共に、体質を改善させたり免疫力を向上させたりする。さらに、トルマリンは、遠赤外線を放出することによって、被介護者Ａの血行を促進させる。
また、ゲルマニウムは、マイナスイオンを発生し、このマイナスイオンの働きによって、被介護者Ａの血行をよくし、筋肉のコリや疲れをとる。
【００１４】
各エアー袋体１は、（例えば）低反発素材にて形成されたマット部21の上面に着脱自在に取着されている。具体的には、各エアー袋体１は、マット部21に、面状ファスナ５にて取着されるようになっている。面状ファスナ５の掛止部５ａは、エアー袋体１（より詳しくは袋本体10）に付設されており、面状ファスナ５の被掛止部５ｂは、マット部21に付設されている。面状ファスナ５の被掛止部５ｂは、マット部21の長手方向へ縦断するように設けられており、マット部21の長手方向の好きな位置に各エアー袋体１を取着することを可能としている。
【００１５】
本実施形態では、エアー袋体１…の配置部位は、被介護者Ａの仰臥状態での脹脛部ａ，大腿部ｂ，腰部ｃ，背中部ｄ，後頭下部ｅの五箇所から成っている（夫々のエアー袋体１を、１ａ，１ｂ，１ｃ，１ｄ，１ｅとする）。後頭下部ｅのエアー袋体１ｅは、被介護者Ａの上半身起こし用に兼用され、大腿部ｂ及び腰部ｃのエアー袋体１ｂ，１ｃは、被介護者Ａのオムツ交換時の腰部持ち上げ作動用に兼用されるようになっている。
また、複数本のエアー袋体１…のうち、後頭下部ｅのエアー袋体１は大径（例えば直径50cm）、大腿部ｂ，腰部ｃ，背中部ｄのエアー袋体１は中径（例えば直径40cm）、脹脛部ａのエアー袋体１は小径（例えば直径30cm）となっている。
ところで、一般的に、被介護者Ａの床ずれ発生予想部位（床ずれの好発部位）としては、両踵部ｆ，骨盤部ｇ，肩甲骨部ｈ，後頭上部ｉが挙げられる。特に、床ずれの初発部位は両踵部ｆとされている。本実施形態では、被介護者Ａの脹脛部ａ，大腿部ｂ，腰部ｃ，後頭下部ｅに配置されたエアー袋体１が、夫々、被介護者Ａの両踵部ｆ，骨盤部ｇ，肩甲骨部ｈ，後頭上部ｉを所定時間ｔ毎に上昇・下降させるようになっている。
【００１６】
エアー供給排気手段２は、ベッド本体20の脇に一つのユニットとして設置されている。このエアー供給排気手段２は、エアコンプレッサ35，エアタンク36，レギュレータ37，電磁弁38等で構成されている。エアー供給排気手段２と各エアー袋体１とは、上述の空圧ライン39にて接続されている。
制御手段３は、ベッド本体20の脇に設置される所謂パソコンとなっている（この制御手段３についての詳細は後述する）。
【００１７】
上述のように、エアー袋体１…は、主に床ずれ防止のために使用されるものであるが、本実施形態に係るベッドでは、後頭下部ｅのエアー袋体１ｅは、被介護者Ａの上半身起こし用に兼用され、大腿部ｂ及び腰部ｃのエアー袋体１ｂ，１ｃは、被介護者Ａのオムツ交換時の腰部持ち上げ作動用に兼用されるようになっている。
【００１８】
次に、ベッド本体20の脇に設置される制御手段３について詳説する。
この制御手段３は、被介護者Ａのリハビリの指導を行ったり治療を行ったりする専門のインストラクタ，マッサージ師，医師等の有資格者Ｂによって、操作される。制御手段３は、エアー袋体１…にエアーを供給するエアー供給排気手段２と電気的に接続され、エアー供給排気手段２の制御を行っている。
具体的に述べると、エアー供給排気手段２については、作動させるエアー袋体１の選択，エアー圧力の強弱（例えば、微弱，弱，中，強），所定時間ｔ（エアー袋体１…へ圧縮エアーを送る時間間隔）等の制御を行っている。本実施形態では、所定時間ｔが、15分〜30分の範囲に設定されている。これにより、人間の体動の原理に基づいて適切に被介護者Ａの体位の変換を行うことができ、床ずれの発生を効果的に防止し得るようになっている。
また、制御手段３の表示部３ａでは、図５に示すように、有資格者Ｂがエアー供給排気手段２の作動状況や設定状況を確認するようになっている。
【００１９】
ここで、本実施形態に係るベッドは、各々の被介護者Ａに合わせて予め有資格者Ｂにより入力されて作成された治療データを記録する記録片６と、記録片６が接近又は挿入されることで記録片６の治療データを読取可能なデータ読取部７と、を備えている。
治療データは、上述したエアー供給排気手段２の設定条件と、患者情報と、から成っている。患者情報としては、例えば会員番号，氏名，年齢，性別，生年月日，血液型，職業，住所，電話番号，現在患っている病気等の情報が挙げられる。
記録片６は、例えばＩＣメモリチップ，ＩＣメモリカード，磁気カード，光磁気カード等から成る。
また、データ読取部７は、制御手段３と電気的に接続されており、記録片６の治療データを制御手段３に送るようになっている。そして、制御手段３が、データ読取部７にて読み取った記録片６の治療データに基いて、（エアー供給排気手段２を介して）エアー袋体１…の作動制御を行うように、構成されている。こうして、医療機具として、被介護者の好みに合い、かつ、専門的に判断しても適切な条件でエアー袋体を作動させることができ、被介護者の床ずれの発生を確実に防止するようになっている。
【００２０】
次に、図２、及び、図６〜図９を参照して、本実施形態に係るベッドの動作について説明する。
まず、図２及び図６に示すように、被介護者Ａがマット部21に仰臥した状態に於て、エアー袋体１…の配置部位が、被介護者Ａの脹脛部ａ，大腿部ｂ，腰部ｃ，背中部ｄ，後頭下部ｅの五箇所となるように、エアー袋体１…の位置調整をする。この位置調整は、各エアー袋体１がマット部21に面状ファスナ５にて取着されているので、容易に行い得る。即ち、体型や身長が相違する多くの被介護者Ａに容易に対応できる。なお、エアー袋体１…は、変形容易な材質にて形成されているので、エアーが入っていない状態では、被介護者Ａの身体のラインに沿って変形する。これにより、被介護者Ａの身体を部分的に強く圧迫しないようになっている。
この状態では、各エアー袋体１に設けられた血行促進部４が、被介護者Ａの脹脛部ａ，大腿部ｂ，腰部ｃ，背中部ｄ，後頭下部ｅの血行を促進させ、被介護者Ａを精神的，肉体的にリラックスさせ、筋肉のコリをとる。
【００２１】
次に、制御手段３と接続されたデータ読取部７に、記録片６の（予め記録された）被介護者Ａ専用の治療データを読み取らせる。
すると、治療データに基いて、被介護者Ａに合った条件が設定される。
そして、被介護者Ａに合った条件に従って各エアー袋体１にエアーが供給され、被介護者Ａの床ずれ発生予想部位（両踵部ｆ，骨盤部ｇ，肩甲骨部ｈ，後頭上部ｉ）を所定時間ｔ毎に上昇・下降させる。なお、床ずれ防止のために各エアー袋体１へエアーが供給される際には、エアー袋体１は最大まで膨張することはなく、わずかに膨張して、被介護者Ａの身体を緩やかに持ち上げるようにしている（図６の２点鎖線参照）。これにより、エアー袋体１の動作によって被介護者Ａの身体に大きな負担をかけないようになっている。
【００２２】
次に、図２及び図７に示すように、被介護者Ａが食事をしたり、ＴＶ観賞や読書をする際には、制御手段３にてモードを切換え、背中部ｄと後頭下部ｅのエアー袋体１ｄ，１ｅのみを膨張させる。特に、後頭下部ｅのエアー袋体１ｅを大きく膨張させるようにする。後頭下部ｅのエアー袋体１ｅは、全てのエアー袋体１…の中で最も大きく形成されているので、被介護者Ａの上半身は大きく起き上がる。この際、被介護者Ａは、腹筋や背筋に力を入れる必要もなく楽に起き上がることができる。そして、楽な姿勢で、食事をしたりＴＶ観賞や読書をすることができる。このように、後頭下部ｅのエアー袋体１は、被介護者Ａの上半身起こし用に兼用される。また、被介護者の身体を持ち上げる際に、モータやリンク機構を必要とせず、構造が簡単なものとなっている。
【００２３】
次に、図２及び図８に示すように、被介護者Ａのオムツ交換をする際には、制御手段３にてモードを切換え、大腿部ｂと腰部ｃのエアー袋体１ｂ，１ｃのみを大きく膨張させる。すると、被介護者Ａの腰部（骨盤部ｇ）は大きく持ち上がり、大腿部ｂのエアー袋体１ｂと腰部ｃのエアー袋体１ｃとの間に大きな隙間40が生じる。そして、この隙間40に手を入れて被介護者Ａのオムツ交換をする。このように、大腿部ｂ及び腰部ｃのエアー袋体１は、被介護者Ａのオムツ交換時の腰部持ち上げ作動用に兼用される。
【００２４】
なお、被介護者Ａが食事をしたり、ＴＶ観賞や読書をする際には、背中部ｄと後頭下部ｅのエアー袋体１ｄ，１ｅのみを大きく膨張させ、被介護者Ａのオムツ交換をする際には、大腿部ｂと腰部ｃのエアー袋体１ｂ，１ｃのみを大きく膨張させていたが、脹脛部ａのエアー袋体１ａのみを大きく膨張させた場合には、図９に示すように、被介護者Ａの床ずれの初発部位である両踵部ｆを大きく持ち上げることができる。
【００２５】
なお、本発明は、上述の実施の形態に限定されず、本発明の要旨を逸脱しない範囲で設計変更可能である。例えば、本実施形態では、エアー袋体１の配置部位が、被介護者Ａの仰臥状態での脹脛部ａ，大腿部ｂ，腰部ｃ，背中部ｄ，後頭下部ｅから成る場合を例示したが、本発明はこれに限らず、エアー袋体１…の配置部位を、これらの内から２箇所以上の組合せを選択して成るようにするのも好ましい。
【００２６】
また、本実施形態のベッドは、マッサージ機能を有していなかったが、本発明はこれに限らず、マッサージ機能を付加することによって、被介護者Ａの床ずれを防止するだけでなく、被介護者Ａにマッサージによるリラックス効果を与えるようにしてもよい。このように構成すれば、熱と揉み，振動等で複合的に被介護者Ａを癒すことができ、より被介護者Ａのストレスを和らげることができる。
【００２７】
以上のように本発明に係る床ずれ防止用ベッドは、ベッド幅方向に相互に平行に配置される複数本の膨縮自在なエアー袋体１と、エアー袋体１へ所定時間ｔ毎に圧縮エアーを供給排気させてエアー袋体１を膨張・収縮させるエアー供給排気手段２と、エアー供給排気手段２の制御を行う制御手段３と、を備え、エアー袋体１は、膨張状態が円柱形となるように形成されると共に、被介護者Ａの床ずれ発生予想部位を所定時間ｔ毎に上昇・下降させるように構成され、さらに、エアー袋体１には、被介護者Ａの血行を促進させる材料を用いて形成された血行促進部４が、設けられているので、健康な人の体動をまねて所定時間ｔ毎に寝たきり状態の被介護者Ａの体位の変換を行うことができ、床ずれの発生を防止することができる。また、床ずれ発生予想部位に血行促進部４を位置させて、その部位における被介護者Ａの血行を促進させることができるので、被介護者Ａの筋肉のコリを効果的にとることができる。
【００２８】
また、エアー供給排気手段２にてエアー袋体１を膨張・収縮させていない状態においても、血行促進部４にて、被介護者Ａの血行を促進させる効果が得られるので、血行促進部４を設けない場合と比較してエアー袋体１を膨張・収縮させる時間を少なくでき、電気や燃料の節約が可能となる。
また、エアー袋体１…を、膨張状態が円柱形となるように形成することによって、エアー袋体１を、球形や短冊形に形成する場合と比較して、形状が単純であり、安価に製作できる。
【００２９】
また、血行促進部４は、磁石，トルマリン，ゲルマニウム，トゴールウォータータイト，石英閃緑玲石，花崗斑岩，ホルンフレンドカミングトン，中国珪石，シリコン化合物，含鉛重晶石，備長炭のいずれかの粉末を、合成樹脂若しくはゴムと混合成型することにより、形成されているので、可撓性を有してエアー袋体１を容易に膨張・収縮させることができると共に、磁気やマイナスイオンの発生にて血行を促進させるようにできる。従って、被介護者Ａの筋肉のコリをとると共に床ずれを防止する高い効果が得られる。
【００３０】
また、エアー袋体１は、膨張状態が円柱形となる袋本体10と、袋本体10の上部に付設されると共に可撓性を有するシート状の血行促進部４と、により形成されているので、エアー袋体１のうち、収縮状態と膨張状態との両方において被介護者Ａに触れる部分のみに、血行促進部４を設けることができる。これにより、袋本体10を安価な材質で形成しつつ、袋本体10の材質よりも高価な血行促進部４の範囲を小さくでき、安価でありながら筋肉のコリをとる効果が高いエアー袋体１とできる。
【００３１】
また、エアー袋体１の配置部位が、被介護者Ａの仰臥状態での脹脛部ａ，大腿部ｂ，腰部ｃ，背中部ｄ，後頭下部ｅから成るので、被介護者Ａの床ずれ好発部位に広く対応して、筋肉のコリをとる機能及び床ずれ防止機能を働かせ得る。
【図面の簡単な説明】
【００３２】
【図１】本発明の実施の一形態に係る床ずれ防止用ベッドを示す斜視図である。
【図２】平面図である。
【図３】要部断面側面図である。
【図４】エアー袋体及びそのエアー袋体が取着される部分を示す斜視図である。
【図５】制御手段の表示部の説明図である。
【図６】エアー袋体の動きを説明するための要部断面側面図である。
【図７】エアー袋体の動きを説明するための要部断面側面図である。
【図８】エアー袋体の動きを説明するための要部断面側面図である。
【図９】エアー袋体の動きを説明するための要部断面側面図である。
【符号の説明】
【００３３】
１，１ａ，１ｂ，１ｃ，１ｄ，１ｅ  エアー袋体
２  エアー供給排気手段
３  制御手段
４  血行促進部
10  袋本体
Ａ  被介護者
ａ  脹脛部
ｂ  大腿部
ｃ  腰部
ｄ  背中部
ｅ  後頭下部
ｔ  所定時間
【図１】
2008036021.tif 000003
【図２】
2008036021.tif 000004
【図３】
2008036021.tif 000005
【図４】
2008036021.tif 000006
【図５】
2008036021.tif 000007
【図６】
2008036021.tif 000008
【図７】
2008036021.tif 000009
【図８】
2008036021.tif 000010
【図９】
2008036021.tif 000011